(57)【要約】【課題】複数個の燃料電池セルを配列してなる燃料電池セルスタックにおいて、燃料電池セルの配列方向の温度分布を均一化することにより、発電効率を向上できる燃料電池セルスタックを提供する。【解決手段】支持基板８上に、燃料側電極層５、固体電解質層６および空気側電極層４を順次積層してなる燃料電池セル２の複数個を配列して、電気的に直列に接続してなる燃料電池セルスタック１であって、燃料電池セル２の配列方向における中央部に配置された複数個の燃料電池セル２間の間隔が、燃料電池セル２の配列方向における端部に配置された複数個の燃料電池セル２間の間隔よりも広くすることにより、燃料電池セルスタック１の温度分布をより均一に近づけることができる。【選択図】図１
2008108722.tif 000002
【特許請求の範囲】
【請求項１】
支持基板上に、燃料側電極層、固体電解質層および空気側電極層を順次積層してなる燃料電池セルの複数個を配列して、電気的に直列に接続してなる燃料電池セルスタックであって、前記燃料電池セルの配列方向における中央部に配置された複数個の燃料電池セル間の間隔が、前記燃料電池セルの配列方向における端部に配置された複数個の燃料電池セル間の間隔よりも広いことを特徴とする燃料電池セルスタック。
【請求項２】
前記端部に配置された複数個の前記燃料電池セルにおいて、前記燃料電池セルが、前記燃料電池セルの配列方向における端部に向けて、隣接する前記燃料電池セル間の間隔が漸次狭くなるように配置されていることを特徴とする請求項１に記載の燃料電池セルスタック。
【請求項３】
前記燃料電池セルの配列方向における中央部に配置された複数個の前記燃料電池セルの厚みが、前記燃料電池セルの配列方向における端部に配置された複数個の前記燃料電池セルの厚みよりも薄いことを特徴とする請求項１または請求項２に記載の燃料電池セルスタック。
【請求項４】
前記燃料電池セルが、中空平板型の燃料電池セルであるとともに、前記燃料電池セルに燃料ガスを供給するためのマニホールドに立設して配置されていることを特徴とする請求項１〜請求項３のうちいずれかに記載の燃料電池セルスタック。
【請求項５】
請求項１〜請求項４のうちいずれかに記載の燃料電池セルスタックと、前記燃料電池セルに酸素含有ガスを供給するための酸素含有ガス供給手段とを収納容器内に収納してなる燃料電池であって、前記燃料電池セルの配列方向に沿って前記燃料電池セルスタックの側面側より酸素含有ガスが供給されるとともに、該酸素含有ガスが前記燃料電池セル間を流通することを特徴とする燃料電池。
【請求項６】
前記燃料電池セルが集電部材を介して電気的に直列に接続されるとともに、前記集電部材は、前記酸素含有ガスが流通することができる形状であることを特徴とする請求項５に記載の燃料電池。
【請求項７】
前記酸素含有ガス供給手段が、前記酸素含有ガスが前記酸素含有ガス供給手段の内部を前記燃料電池セルに沿って上方から下方に流れるように配置されていることを特徴とする請求項５または請求項６に記載の燃料電池。
【請求項８】
前記燃料電池セルスタックの上方に、前記燃料電池セルに供給する燃料ガスを生成するための改質器が配置されていることを特徴とする請求項５〜請求項７のうちいずれかに記載の燃料電池。
【発明の詳細な説明】
【技術分野】
【０００１】
本発明は、複数個の燃料電池セルを配列してなる燃料電池セルスタック、および燃料電池セルスタックを収納してなる燃料電池に関する。
【背景技術】
【０００２】
近年、次世代エネルギーとして、燃料ガスと空気（酸素含有ガス）とを用いて電力を得ることができる燃料電池セルを複数個配列して、電気的に直列に接続してなる燃料電池セルスタックを収納容器内に収納した燃料電池が種々提案されている。
【０００３】
この燃料電池において発電に用いる燃料ガスとしては水素ガスが用いられ、水素ガスを燃料電池セルの燃料側電極層に接触させ、かつ酸素含有ガスを燃料電池セルの空気側電極層に接触させ、所定の電極反応を生じさせることにより発電が行われる。
【０００４】
ここで、複数個の燃料電池セルを配列してなる燃料電池セルスタックが多数提案されている（例えば、特許文献１参照。）。
【０００５】
図７は、このような燃料電池セルスタックの一例の模式図を示したものである。図７は従来の燃料電池セルスタック５１を概略的に示した側面図（ａ）、および一部拡大平面図（ｂ）であり、燃料電池セルを複数個配列して並べるとともに、隣接する燃料電池セル間の間隔を均一として配置されている。なお、（ｂ）において（ａ）で示した点線枠で囲った部分の対応する部分を明確とするため矢印にて示している。
【特許文献１】特開２００３−３０８８５７号公報
【発明の開示】
【発明が解決しようとする課題】
【０００６】
ここで、燃料電池セルスタックを構成する燃料電池セルは、発電に伴い熱を生じる。そして、この燃料電池セルの発電により生じた熱は、隣接する燃料電池セルとの隙間等から放散される。
【０００７】
しかしながら、燃料電池セルを複数個（特には多数固）配列してなる燃料電池セルスタックにおいては、燃料電池セルは発電時に燃料電池セル自身のジュール熱や反応熱により熱エネルギーを放散するが、特に配列方向における中央部に配置された複数個の燃料電池セルにおいては、燃料電池セルの両側に多数の燃料電池セルが配置されているため、熱エネルギーが放散されにくく高温となる傾向にある。
【０００８】
一方、燃料電池セルの配列方向における端部に配置された複数個の燃料電池セルは、隣接して配置された燃料電池セルが少ない、もしくはないこととなり、熱エネルギーを放散しやすくなる。それにより、燃料電池セルの配列方向における端部側に配置された燃料電池セルは温度が低下する傾向にある。
【０００９】
そのため、燃料電池セルの配列方向における中央部は温度が高く、燃料電池セルの配列方向における端部側は温度が低くなることから、燃料電池セルスタックとしては、燃料電池セルの配列方向における温度分布が不均一（山なり）となり、発電効率が低下するおそれがある。
【００１０】
したがって、本発明の目的は、燃料電池セルの配列方向における温度分布を均一化する（均一に近づける）とともに、発電効率の低下を抑制することができる燃料電池セルスタック、およびそれを収容してなる燃料電池を提供することにある。
【課題を解決するための手段】
【００１１】
本発明の燃料電池セルスタックは、支持基板上に、燃料側電極層、固体電解質層および空気側電極層を順次積層してなる燃料電池セルの複数個を配列して、電気的に直列に接続してなる燃料電池セルスタックであって、前記燃料電池セルの配列方向における中央部に配置された複数個の燃料電池セル間の間隔が、前記燃料電池セルの配列方向における端部に配置された複数個の燃料電池セル間の間隔よりも広いことを特徴とする。
【００１２】
このような燃料電池セルスタックにおいては、燃料電池セルの配列方向における中央部（以下、中央部と略す場合がある。）に配置された複数個の燃料電池セル間の間隔が、燃料電池セルの配列方向における端部（以下、端部と略す場合がある。）に配置された複数個の燃料電池セル間の間隔と比べて広いことから、燃料電池セルスタックの配列方向における温度分布を均一化する（均一に近づける）ことができる。
【００１３】
すなわち、複数個の燃料電池セルを配列してなる燃料電池セルスタックにおいては、燃料電池セルは発電時に燃料電池セル自身のジュール熱や反応熱により熱エネルギーを放散するが、中央部に配置された燃料電池セルは、その両方向に多数の燃料電池セルが配置されているため、この熱エネルギーが放散されにくく高温となる。
【００１４】
一方、燃料電池セルの配列方向における端部に配置された燃料電池セルは、その一方向に配置された燃料電池セルが少ない、もしくはないこととなり、熱エネルギーを放散しやすいため、温度が低下する傾向にある。
【００１５】
それに伴い、燃料電池セルスタックの中央部は温度が高く、燃料電池セルスタックの端部側は温度が低いといったように温度分布が不均一となり、発電効率が低下する場合がある。
【００１６】
それゆえ、本発明の燃料電池セルスタックにおいては、燃料電池セルの配列方向における中央部に配置された複数個の燃料電池セル間の間隔を、燃料電池セルの配列方向における端部に配置された複数個の燃料電池セル間の間隔よりも広くすることにより、中央部に配置された複数個の燃料電池セルが熱放散しやすくなり、中央部に配置された複数個の燃料電池セルの温度を下げることができる。さらに、燃料電池セルの配列方向における端部に配置された複数個の燃料電池セルは、その燃料電池セル間の間隔が中央部に配置された複数個の燃料電池セル間の間隔よりも狭いことから熱放散しにくくなり、温度が低下することを抑制することができる（もしくは温度が上昇する）。それにより、燃料電池セルスタックの温度分布を均一化する（均一に近づける）ことができ、燃料電池セルスタックの発電効率が低下することを抑制することができる。
【００１７】
また、本発明の燃料電池セルスタックは、前記端部に配置された複数個の前記燃料電池セルにおいて、前記燃料電池セルが、前記燃料電池セルの配列方向における端部に向けて、隣接する前記燃料電池セル間の間隔が漸次狭くなるように配置されていることが好ましい。
【００１８】
このような燃料電池セルスタックにおいては、端部に配置された複数個の燃料電池セルにおいて、燃料電池セルが、燃料電池セルの配列方向における端部に向けて、隣接する燃料電池セル間の間隔が漸次狭くなるように燃料電池セルが配置されていることから、燃料電池セルスタックの温度分布をより均一化する（均一に近づける）ことができ、燃料電池セルスタックの発電効率が低下することを抑制することができる。
【００１９】
また、端部に配置された複数個の燃料電池セルにおいて、燃料電池セルの配列方向における端部に向けて、隣接する燃料電池セル間の間隔が漸次狭くなるように燃料電池セルが配置されていることから、例えば隣接する燃料電池セル間の間隔が急激に広くなる（又は狭くなる）といったことにより、端部に配置された複数個の燃料電池セルに過大な応力がかかることを抑制することができ、燃料電池セルスタックの信頼性を向上することができる。
【００２０】
また、本発明の燃料電池セルスタックは、前記燃料電池セルの配列方向における中央部に配置された複数個の前記燃料電池セルの厚みが、前記燃料電池セルの配列方向における端部に配置された複数個の燃料電池セルの厚みよりも薄いことが好ましい。
【００２１】
このような燃料電池セルスタックにおいては、複数個の燃料電池セルを並べて燃料電池セルスタックを構成するにあたり、同一の大きさ（配列方向における厚みが同一）の燃料電池セルで形成するほか、厚みの異なる燃料電池セルを用いることもできる。
【００２２】
この場合においては、隣接する燃料電池セルの中央部と中央部との距離（例えば燃料ガス通路間の距離）を一定とするとともに、燃料電池セルの配列方向における中央部に配置された複数個の燃料電池セルの厚みを、配列方向における端部に配置された複数個の燃料電池セルの厚みよりも薄くすることにより、中央部に配置された複数個の燃料電池セル間の間隔を、端部に配置された複数個の燃料電池セル間の間隔よりも広くすることができる。それにより、燃料電池セルスタックの配列方向における温度分布を均一化する（均一に近づける）ことができる。
【００２３】
また、本発明の燃料電池セルスタックは、前記燃料電池セルが、中空平板型の燃料電池セルであるとともに、前記燃料電池セルに燃料ガスを供給するためのマニホールドに立設して配置されていることが好ましい。
【００２４】
このような燃料電池セルスタックにおいては、燃料電池セルが、中空平板型であるとともに、燃料電池セルが、燃料電池セルに燃料ガスを供給するためのマニホールドに立設して配置されていることから、隣接する燃料電池セル間の間隔を変えて燃料電池セルを配置した燃料電池セルスタックを容易に作製することができるとともに、燃料電池セルに燃料ガスを供給することができる。
【００２５】
また、燃料電池セルを中空平板型とすることにより、電気抵抗が小さく、高い発電性能を発現することができるとともに、隣接する燃料電池セルの間隔を異なる配置とした燃料電池セルスタックを容易に作製することができる。
【００２６】
本発明の燃料電池は、上記のうちいずれかに記載の燃料電池セルスタックと、前記燃料電池セルに酸素含有ガスを供給するための酸素含有ガス供給手段とを収納容器内に収納してなる燃料電池であって、前記燃料電池セルの配列方向に沿って前記燃料電池セルスタックの側面側より酸素含有ガスが供給されるとともに、該酸素含有ガスが前記燃料電池セル間を流通することを特徴とする。
【００２７】
このような燃料電池においては、収納容器内に燃料電池セルスタックと燃料電池セルに酸素含有ガスを供給するための酸素含有ガス供給手段とを収納し、燃料電池セルの配列方向に沿って、燃料電池セルスタックの側面側より酸素含有ガスを供給し、その供給した酸素含有ガスが燃料電池セル間を流通することから、燃料電池セル間を流通する酸素含有ガスにより、燃料電池セルの温度を下げることができる。
【００２８】
この場合、複数個の燃料電池セルを配列してなる燃料電池セルスタックにおいては、燃料電池セルの配列方向における中央部に配置された複数個の燃料電池セル間の間隔が広いことから、中央部に配置された複数個の燃料電池セルの間を流れる酸素含有ガスの流量が多くなり、中央部に配置された複数個の燃料電池セルの冷却効果を大きくすることができる。
【００２９】
一方、燃料電池セルの配列方向における端部に配置された複数個の燃料電池セルにおいては、隣接する燃料電池セル間の間隔が、中央部に配置された複数個の燃料電池セル間の間隔よりも狭いことから、端部に配置された複数個の燃料電池セルの間を流れる酸素含有ガスの流量は、中央部に配置された燃料電池セルの間を流れる流量より少なくなり、端部に配置された複数個の燃料電池セルの冷却効果は、中央部に配置された複数個の燃料電池セルの冷却効果と比較して小さくなる。
【００３０】
それにより、燃料電池セルスタックの温度分布をより均一化する（均一に近づける）ことができ、燃料電池セルスタックの発電効率が低下することを抑制でき、発電効率が向上した燃料電池とすることができる。
【００３１】
また、本発明の燃料電池は、前記燃料電池セルが集電部材を介して電気的に直列に接続されるとともに、前記集電部材は、前記酸素含有ガスが流通することができる形状であることが好ましい。
【００３２】
このような燃料電池においては、燃料電池セルが集電部材を介して電気的に直列に接続されていることから、燃料電池セルにより発電された電気を効率よく集電することができる。
【００３３】
また集電部材は、酸素含有ガスが流通することができる形状であることから、燃料電池セルの配列方向に沿って燃料電池セルスタックの側面側より供給される酸素含有ガスが、隣接する燃料電池セル間を容易に流通することができ、燃料電池セルスタックの温度分布も均一化する（均一に近づける）ことができることから、発電効率が向上した燃料電池とすることができる。
【００３４】
また、本発明の燃料電池は、前記酸素含有ガス供給手段が、前記酸素含有ガスが前記酸素含有ガス供給手段の内部を前記燃料電池セルに沿って上方から下方に流れるように配置されていることが好ましい。
【００３５】
このような燃料電池においては、酸素含有ガスが酸素含有ガス供給手段の内部を燃料電池セルに沿って上方から下方に流れるように、酸素含有ガス供給手段が配置されていることから、燃料電池セルの上下方向における温度分布を均一化する（均一に近づける）ことができる。
【００３６】
ここで、燃料電池セルスタックを構成する燃料電池セルにおいて、燃料電池セルの上部で温度が高く、燃料電池セルの下部では温度が低くなる傾向にある。
【００３７】
それゆえ、酸素含有ガスが酸素含有ガス供給手段の内部を燃料電池セルに沿って上方から下方に流すことにより、酸素含有ガスが燃料電池セルを上方から下方へと流れるにしたがって温められることとなる。
【００３８】
そして、温められた酸素含有ガスが燃料電池セルの下部に向けて流れることにより、燃料電池セルの下部の温度を上昇させることができる。
【００３９】
それにより、燃料電池セルの上下方向における温度分布を均一化することができることから、燃料電池セルの発電効率を向上することができ、発電効率が向上した燃料電池とすることができる。
【００４０】
また、本発明の燃料電池は、前記燃料電池セルスタックの上方に、前記燃料電池セルに供給する燃料ガスを生成するための改質器が配置されていることが好ましい。
【００４１】
このような燃料電池においては、燃料電池セルスタックの上方に、燃料電池セルに供給する燃料ガスを生成するための改質器が配置されていることから、改質器は燃料電池セルスタックの熱により温められることとなる。
【００４２】
ここで、本発明の燃料電池セルスタックは、燃料電池セルの配列方向における温度分布を均一化する（均一に近づける）ことができることから、改質器の温度をより効率よく上昇させることができる。それにより改質器での改質反応を効率的に行なうことができる。したがって、発電効率がより向上した燃料電池とすることができる。
【発明の効果】
【００４３】
本発明の燃料電池セルスタックは、配列方向における中央部に配置された複数個の燃料電池セル間の間隔が、燃料電池セルの配列方向における端部に配置された複数個の燃料電池セル間の間隔よりも広いことから、燃料電池セルスタックの燃料電池セルの配列方向における温度分布を均一化することができ、発電効率の低下を抑制することができる。
【発明を実施するための最良の形態】
【００４４】
図１は、燃料電池セルスタック１を有する燃料電池セルスタック装置１０を示し、（ａ）は燃料電池セルスタック装置１０を概略的に示す側面図、（ｂ）は（ａ）の燃料電池セルスタック装置１０の一部拡大平面図であり、（ａ）で示した点線枠で囲った部分を抜粋して示している。なお、（ｂ）において（ａ）で示した点線枠で囲った部分の対応する部分を明確とするため矢印にて示している。また、同一の部材については同一の番号を付するものとし、以下同様とする。さらに、図１中において点線で示した矢印は、酸素含有ガスの流れ方向を示している。
【００４５】
ここで、燃料電池セルスタック装置１０は、支持基板８上に、燃料側電極層５、固体電解質層６および空気側電極層４を順次積層してなる燃料電池セル２の複数個を、電気的に直列に接続してなる燃料電池セルスタック１を、燃料電池セル２を一列に配列した状態でマニホールド１２に固着して形成されている。あわせて、隣接する燃料電池セル２間に集電部材３ａが介装されるとともに、燃料電池セル２の配列方向の両側から端部集電部材３ｂを介して燃料電池セルスタック１を挟持するように、燃料電池セル２に燃料ガスを供給するマニホールド１２に立設し固着する合金製の保持部材１３を具備する。
【００４６】
なお、燃料電池セル２および保持部材１３の一端（下端部）は、例えば耐熱性に優れたガラスシール材（図示せず）によりマニホールド１２に埋設され接合される。
【００４７】
本実施形態において、燃料電池セル２は中空平板状とされ、一対の対向する平坦面をもつ柱状の導電性支持基板８の一方の平坦面上に燃料側電極層５、固体電解質層６及び空気側電極層４が積層され、他方の平坦面上にインターコネクタ７が設けられている。また導電性支持基板８の内部には反応ガス（燃料ガス）を流通するための燃料ガス流路９が設けられている。本発明においては、このような形状を中空平板型という。
【００４８】
また、インターコネクタ７の外面（上面）にはＰ型半導体１１を設けることもできる。集電部材３ａを、Ｐ型半導体１１を介してインターコネクタ７に接続させることにより、両者の接触がオーム接触となり、電位降下を少なくし、集電性能の低下を有効に回避することが可能となる。なお、燃料電池セル２を構成する各部材については後に詳述する。
【００４９】
また、導電性支持基板８を燃料側電極層５を兼ねるものとし、その表面に固体電解質層６および空気側電極層４を順次積層して燃料電池セル２を構成することもできる。
【００５０】
ここで、本発明の燃料電池セルスタック１は、燃料電池セル２の配列方向における中央部に配置された複数個の燃料電池セル２間の間隔が、燃料電池セル２の配列方向における端部に配置された複数個の燃料電池セル２間の間隔よりも広いことを特徴とする。
【００５１】
なお、本発明において燃料電池セル２の配列方向における中央部（以下、中央部と略する場合がある。）に配置された複数個の燃料電池セル２とは、複数個の燃料電池セル２の配列方向における中央部とその近傍に配置された燃料電池セルを意味し、燃料電池セル２の配列方向における長さや、燃料電池セル２の大きさ等により、適宜該当する燃料電池セルの数を設定することができる。
【００５２】
また、逆に燃料電池セル２の配列方向における端部に配置された複数個の燃料電池セル２とは、燃料電池セル２の配列方向における長さや、燃料電池セル２の大きさ等により、適宜該当する燃料電池セルの数を設定することができる。
【００５３】
それゆえ、具体的には、燃料電池セル２の配列方向における中央部を中心として、配列方向における長さの１／３程度の領域に配置された燃料電池セル２を、中央部に配置された複数個の燃料電池セル２とすることができ、また、燃料電池セル２の配列方向の端部から中央部にかけて配列方向における長さの１／３程度の領域に配置された燃料電池セル２を、端部に配置された複数個の燃料電池セル２とすることができる。なお、中央部に配置された複数個の燃料電池セル２と、端部に配置された複数個の燃料電池セル２との間に、両方に属さない燃料電池セル２を配置することもできる。
【００５４】
ところで、複数個の燃料電池セルを配列してなる燃料電池セルスタックは、燃料電池セル２の発電に伴い熱を生じる。
【００５５】
ここで燃料電池セルは、発電時に燃料電池セル自身のジュール熱や反応熱により熱エネルギーを放散するが、中央部に配置された燃料電池セル２と端部に配置された燃料電池セル２とでは、この熱エネルギーの放散に差が生じる。
【００５６】
すなわち、中央部に配置された燃料電池セル２の両側は、多数の燃料電池セル２が配置されているため、この熱エネルギーが放散されにくく、端部に配置された燃料電池セル２の一方向においては、隣接して配置された燃料電池セルが少ない、もしくはないことから、熱エネルギーが放散されやすいこととなる。
【００５７】
したがって、複数個の燃料電池セルが配列されて構成される燃料電池セルスタックでは、燃料電池セルの配列方向における温度分布を生じる（中央部が高温となり、端部側が低温となる。）こととなり、それにより燃料電池セルスタックの発電性能が低下するおそれがある。
【００５８】
本発明の燃料電池セルスタック１は、図１からも明らかなように、燃料電池セル２の配列方向における中央部に配置された複数個の燃料電池セル２間の間隔を、燃料電池セル２の配列方向における端部に配置された複数個の燃料電池セル２間の間隔よりも広くすることにより、中央部に配置された燃料電池セル２はより熱エネルギーを放散しやすくなり、燃料電池セルスタック１の中央部の温度を下げることができる。
【００５９】
一方で、端部に配置された複数個の燃料電池セル２は、隣接する燃料電池セル２間の間隔が、中央部に配置された複数個の燃料電池セル２間の間隔よりも狭いことから、中央部よりも熱エネルギーを放散しにくいこととなり、燃料電池セルスタック１の端部側の温度が下がることを抑制する、または端部側の温度が上昇することとなる。
【００６０】
それゆえ、本発明の燃料電池セルスタック１は、従来の燃料電池セルスタックよりもなだらかな温度分布とすることができ、さらには隣接する燃料電池セル２間の間隔を調整することで、燃料電池セルスタック１の温度分布を均一に近づけることができる。
【００６１】
したがって、本発明の燃料電池スタック１は、発電性能の向上した燃料電池セルスタック１とすることができる。
【００６２】
また、端部に配置された複数個の燃料電池セル２間の間隔は、中央部に配置された複数個の燃料電池セル２間の間隔よりも狭ければよく、中央部もしくは端部に配置された複数個の燃料電池セル２において、隣接する燃料電池セル２間の間隔を一定とすることもでき、また端部に配置された複数個の燃料電池セル２において、隣接する燃料電池セル２間の間隔を、端部に向けて徐々に広くなる構成としてもよい。
【００６３】
なお、本発明の燃料電池セルスタック１を構成する他の部材について、以下に説明する。
【００６４】
支持基板８としては、燃料ガスを燃料側電極層５まで透過するためにガス透過性であること、さらには、インターコネクタ７を介して集電するために導電性であることが要求される。したがって、支持基板８としては、かかる要求を満足するものを材質として採用する必要があり、例えば導電性セラミックスやサーメット等を用いることができる。
【００６５】
集電部材３ａおよび端部集電部材３ｂは、弾性を有する金属または合金からなる部材あるいは金属繊維または合金繊維から成るフェルトに所要の表面処理を加えた部材から構成することができる。なお、本発明における集電部材３ａは、間隔の異なる燃料電池セル２を電気的に接続するために、弾性を有する合金からなる部材とするのがより好ましい。それにより、燃料電池セル２を電気的に接続することができる。なお、例えば燃料電池セル２の間隔にあわせて、集電部材３ａの大きさを変えて配置することも可能である。なお、集電部材３ａの形状については後述する。
【００６６】
空気側電極層４は、一般的に用いられるものであれば特に制限はなく、例えば、いわゆるＡＢＯ３型のペロブスカイト型酸化物からなる導電性セラミックスから形成することができる。空気側電極層４はガス透過性を有していることが必要であり、開気孔率が２０％以上、特に３０〜５０％の範囲にあることが好ましい。
【００６７】
燃料側電極層５は、一般的に公知のものを使用することができ、多孔質の導電性セラミックス、例えば希土類元素が固溶しているＺｒＯ２（安定化ジルコニアを称する）とＮｉおよび／またはＮｉＯとから形成することができる。
【００６８】
固体電解質層６は、電極間の電子の橋渡しをする電解質としての機能を有していると同時に、燃料ガスと酸素含有ガスとのリークを防止するためにガス遮断性を有することが必要とされ、３〜１５モル％の希土類元素が固溶したＺｒＯ２から形成される。なお、上記特性を有する限りにおいては、他の材料等を用いて形成してもよい。
【００６９】
インターコネクタ７は、導電性セラミックスから形成することができるが、燃料ガス（水素ガス）および酸素含有ガス（空気等）と接触するため、耐還元性及び耐酸化性を有することが必要であり、それゆえランタンクロマイト系のペロブスカイト型酸化物（ＬａＣｒＯ３系酸化物）が好適に使用される。インターコネクタ７は支持基板８に形成された燃料ガス通路９を通る燃料ガスおよび支持基板８の外側を流動する酸素含有ガスのリークを防止するために緻密質でなければならず、９３％以上、特に９５％以上の相対密度を有していることが好ましい。
【００７０】
支持基板８は、例えば中空平板型の支持基板とすることができる。そのような支持基板８としては、立設方向に細長く延びる板状片であり、平坦な両面と半円形状の両側面を有する。支持基板８には内部を立設方向に貫通する複数個（図１（ｂ）においては６個）の燃料ガス通路９が形成されている。燃料電池セル２の各々は、燃料ガスを供給するマニホールド１２の上壁（天板）に、例えば耐熱性に優れたガラスシール材１２によって接合され、燃料電池セル２の燃料ガス通路９は、燃料ガス室（図示せず）に連通せしめられる。
【００７１】
ちなみに、燃料側電極層５および固体電解質層６の少なくとも一方との同時焼成により支持基板８を製造する場合においては、鉄属金属成分と特定希土類酸化物とから支持基板８を形成することが好ましい。また、導電性支持基板８は、所要ガス透過性を備えるために開気孔率が３０％以上、特に３５〜５０％の範囲にあるのが好適であり、そしてまたその導電率は３００Ｓ／ｃｍ以上、特に４４０Ｓ／ｃｍ以上であるのが好ましい。
【００７２】
さらに、Ｐ型半導体層１１としては、遷移金属ペロブスカイト型酸化物からなる層を例示することができる。具体的には、インターコネクタ７を構成するランタンクロマイト系のペロブスカイト型酸化物（ＬａＣｒＯ３系酸化物）よりも電子伝導性が大きいもの、例えば、ＢサイトにＭｎ、Ｆｅ、Ｃｏなどが存在するＬａＭｎＯ３系酸化物、ＬａＦｅＯ３系酸化物、ＬａＣｏＯ３系酸化物などの少なくとも一種からなるＰ型半導体セラミックスを使用することができる。このようなＰ型半導体層６の厚みは、一般に、３０〜１００μｍの範囲にあることが好ましい。
【００７３】
なお、図１においては、燃料電池セルスタック１を構成する燃料電池セル２が中空平板型の燃料電池セルであるとともに、同じ厚み（配列方向における厚みが同じ）の燃料電池セル２を用いて構成されている例を示している。それにより、間隔を変化させて燃料電池セル２を配置することで、燃料電池セル２の間隔が変化した燃料電池セルスタック１を容易に作製することができる。なお、燃料電池セルの間隔を所定の間隔として燃料電池セルを配置するにあたり、例えば厚み（配列方向における厚み）を変えることも可能である。
【００７４】
また、中央部に配置された隣接する燃料電池セル間の間隔を、端部側に配置された隣接する燃料電池セル間の間隔よりも広くする場合において、その間隔は燃料電池セルの形状や燃料電池セルの数等により適宜設定できる。例えば、中央部の燃料電池セル間隔を３ｍｍ、端部側の燃料電池セル間隔を２ｍｍとすることができる。なお、ここで燃料電池セルの間隔とは、隣接する燃料電池セルの表面間とすることができる。
【００７５】
図２は、燃料電池セル２が、端部に配置された複数個の燃料電池セルにおいて、燃料電池セル２の配列方向における端部に向けて、隣接する燃料電池セル２間の間隔が漸次狭くなるように配置された燃料電池セルスタック装置１４の例を示している。なお、（ａ）は燃料電池セルスタック装置１４を概略的に示す側面図であり、（ｂ）は（ａ）の燃料電池セルスタック装置１４の一部拡大平面図であり、（ａ）で示した点線枠で囲った部分を抜粋して示している。なお、（ｂ）において（ａ）で示した点線枠で囲った部分の対応する部分を明確とするため矢印にて示している。
【００７６】
このような燃料電池セルスタック１５においては、端部に配置された複数個の燃料電池セル２において、隣接する燃料電池セル２間の間隔が、燃料電池セル２の配列方向における端部に向けて、漸次狭くなるように配置されていることから、燃料電池セルスタック１５の温度分布をより均一に近づけることができる。
【００７７】
ここで、端部に配置された複数個の燃料電池セルにおいて、隣接する燃料電池セル２間の間隔が、配列方向における端部に向けて漸次狭くなるように燃料電池セルが配置されていることから、例えば隣接する燃料電池セル２間の間隔が急激に広くなる（または狭くなる）ことにより、燃料電池セル２や集電部材３ａに過大な応力がかかることを抑制することができ、燃料電池セルスタック１４の信頼性を向上することができる。
【００７８】
さらに、複数個の燃料電池セル２を配置してなる燃料電池セルスタックにおいて、燃料電池セル２を、燃料電池セル２の配列方向における中央部から端部に向けて、隣接する燃料電池セル２の間隔が漸次狭くなるように配置することができる。
【００７９】
図２においては、そのような燃料電池セルスタック装置１４を示しており、それにより、燃料電池セルスタック１５の温度分布をより均一に近づけることができる。
【００８０】
図３は、中央部に配置された複数個の燃料電池セル２の厚みを、端部に配置された複数個の燃料電池セル２の厚み（配列方向における厚み）よりも薄くした燃料電池セルスタック装置１６の例を示している。なお、（ａ）は燃料電池セルスタック装置１６を概略的に示す側面図であり、（ｂ）は（ａ）の燃料電池セルスタック装置１６の一部拡大平面図であり、（ａ）で示した点線枠で囲った部分を抜粋して示している。なお、（ｂ）において（ａ）で示した点線枠で囲った部分の対応する部分を明確とするため矢印にて示している。
【００８１】
このような燃料電池セルスタック１７においては、隣接する燃料電池セルの距離（例えば平面視において燃料電池セル２の中央部間の距離）を所定の距離とするとともに、中央部に配置された複数個の燃料電池セル２の厚みを、端部に配置された複数個の燃料電池セル２の厚みよりも薄くすることにより、中央部に配置された複数個の燃料電池セルにおける隣接する燃料電池セル２間の間隔を、端部に配置された複数個の燃料電池セルにおける隣接する燃料電池セル２間の間隔よりも広くすることができる。
【００８２】
具体的には、例えば隣接する燃料電池セル２間の距離（燃料電池セル２の中央部とそれに隣接する燃料電池セル２の中央部との距離）を５ｍｍとし、中央部に配置された複数個の燃料電池セル２の厚みを２ｍｍ、端部に配置された複数個の燃料電池セル２の厚みを３ｍｍとすることにより、中央部に配置された複数個の燃料電池セル２間の間隔を、端部に配置された複数個の燃料電池セル２間の間隔よりも広くすることができる。なお、隣接する燃料電池セル２の距離や燃料電池セル２の厚みは、燃料電池セルの大きさや燃料電池セルスタックの大きさ等により適宜設定することができ、例えば端部における複数個の燃料電池セルにおいて、中央部に配置された複数個の燃料電池セル２の厚みよりも薄い範囲で、燃料電池セル２の厚みを適宜変更することができる。
【００８３】
それにより、中央部に配置された複数個の燃料電池セル２はより熱エネルギーを放散しやすくなり、燃料電池セルスタック１７の中央部の温度を下げることができ、燃料電池セルスタック１７の温度分布を均一に近づけることができる。
【００８４】
そして、上述したような燃料電池セルスタックと、燃料電池セル２に酸素含有ガス（通常は空気である）を供給するための酸素含有ガス供給手段とを収納容器内に収納することにより、本発明の燃料電池とすることができる。
【００８５】
図４は、本発明の燃料電池の一例を示す外観斜視図である。燃料電池１８は、直方体状の収納容器１９の内部に、上述した燃料電池セルスタックと燃料電池セル２に酸素含有ガスを供給するための酸素含有ガス供給手段２０とが収納されて構成される。なお、燃料電池セルスタックとしては、図１に示した燃料電池セルスタック１を用いた例を示している。
【００８６】
また、燃料電池セル２にて使用する水素ガスを得るために、天然ガスや灯油等の燃料を改質して水素ガスを生成するための改質器２１を燃料電池セルスタック１の上部に配置している。なお、図４において燃料電池セルスタック装置１０は、改質器６を含めた構成として示している。
【００８７】
また、図４においては、収納容器１９の一部（前面および後面）を取り外し、内部に収納されている燃料電池セルスタック装置１０を後方に取り出した状態を示している。ここで、図４に示した燃料電池１８においては、燃料電池セルスタック装置１０を、収納容器１９内にスライドして収納することが可能である。
【００８８】
図５は、図４で示す燃料電池１８の切断面線Ｘ−Ｘから見た断面図である。燃料電池１８を構成する収納容器１９は、内壁２２と外壁２３とを有する二重構造で、外壁２３により収納容器１９の外枠が形成されるとともに、内壁２２により燃料電池セルスタック１（燃料電池セルスタック装置１０）を収納する発電室２４が形成されている。なお、内壁２２と外壁２３との間は、燃料電池セル２に導入する反応ガスの流路としており、例えば、燃料電池セル２に導入する酸素含有ガス等が流れる。
【００８９】
ここで内壁２２には、内壁２２の上面から燃料電池セルスタック１の側面側にまで延び、燃料電池セルスタック１の配列方向における幅に対応し、内壁２２と外壁２３とで形成される流路に連通して、燃料電池セル２に酸素含有ガスを導入するための酸素含有ガス供給手段である酸素含有ガス導入部材２０が備えられている。また、酸素含有ガス導入部材２０の下端側（燃料電池セル２の下端側）には、燃料電池セル２に酸素含有ガスを導入するための吹出口２５が設けられている。
【００９０】
なお図５において、酸素含有ガス導入部材２０は、互いに所定間隔を空けて並設された一対の板部材により酸素含有ガス導入流路を形成し、下端側で底部材に接合して形成されている。また、図５においては、酸素含有ガス導入部材２０は、収納容器１９の内部に並置された２つの燃料電池セルスタック１（燃料電池セルスタック装置１０）間に位置するように配置されている。なお、酸素含有ガス導入部材２０は、収納される燃料電池セルスタック１の数により、例えば燃料電池セルスタック１の両側面から挟み込むように配置してもよい。
【００９１】
また、酸素ガス導入部材２０の内部には、測温部２７を有する温度センサ２６（例えば熱電対等）が収納容器２の上面側より挿入されている。それにより、燃料電池セルスタック１（燃料電池セル２）の温度を測定することができる。また収納容器１９内には、適宜断熱材２８が配置されている。なお、温度センサ２６は複数配置しても良く、その場合、燃料電池セルスタックの中央部と、端部側に配置することが好ましい。
【００９２】
そして、燃料電池セルスタック１は、マニホールド１２より燃料電池セル２に燃料ガスが供給されるとともに、燃料電池セル２に酸素含有ガスが供給され、これらを用いて発電が行なわれる。
【００９３】
図５においては、燃料電池セル２の配列方向に沿って燃料電池セルスタック１の側面側より、酸素含有ガス導入部材２０により酸素含有ガスが供給されるとともに、燃料電池セル２間を酸素含有ガスが流通する。
【００９４】
すなわち、酸素含有ガスが、燃料電池セルスタック１の側方より供給され、燃料電池セル２間を流通することにより、燃料電池セル２と酸素含有ガスとにより熱交換が行なわれ、燃料電池セル２の温度を下げることができる。
【００９５】
ここで、酸素含有ガスを供給するにあたっては、燃料電池セル２（燃料電池セルスタック１）の側面方向の特定の箇所から燃料電池セルスタック１全体に向けて酸素含有ガスを供給することが好ましい。
【００９６】
そして、図５に示した収納容器１９に収納される燃料電池セルスタック１（図４参照）では、燃料電池セル２の配列方向における中央部に配置された複数個の燃料電池セル２間の間隔が広いことから、中央部に配置された複数個の燃料電池セル２間を流れる酸素含有ガスの流量が多くなり、中央部に配置された複数個の燃料電池セル２の冷却効果（熱交換）を大きくすることができる。
【００９７】
一方で、燃料電池セル２の配列方向における端部に配置された複数個の燃料電池セル２においては、隣接する燃料電池セル２間の間隔が狭いことから、端部に配置された複数個の燃料電池セル２間を流れる酸素含有ガスの流量が、中央部に配置された複数個の燃料電池セル２間を流れる酸素含有ガスの流量よりも少なくなり、中央部の燃料電池セル２に対して冷却効果が小さくなる。
【００９８】
それゆえ、燃料電池セル２の配列方向における中央部に配置された複数個の燃料電池セル２の温度がより下がることとなり、燃料電池セルスタック１の温度分布をより均一に近づけることができ、燃料電池セルスタック１の発電効率が低下することを抑制できる。
【００９９】
また、図５に示した酸素含有ガス導入部材２０においては、酸素含有ガスが酸素含有ガス供給手段２０の内部を燃料電池セル２に沿って上方から下方に流れるように配置されている。
【０１００】
さらに図５においては、燃料電池セルスタック１の上方に、燃料電池セル２（マニホールド１２）に燃料ガス（改質ガス）を供給するための改質器２１を配置している。
【０１０１】
ここで、燃料電池セル２の上端側で未反応の燃料ガスを燃焼させ、改質器２１を加熱させる構成の燃料電池においては、燃料電池セルスタック１を構成する燃料電池セル２において、燃料電池セル２の上部で温度が高く、燃料電池セル２の下部では温度が低くなる傾向にある。
【０１０２】
それゆえ、酸素含有ガスが酸素含有ガス供給手段２０の内部を燃料電池セル２に沿って上方から下方に流すことにより、酸素含有ガスが燃料電池セル２を上方から下方へと流れるにしたがって温められることとなる。
【０１０３】
そして、温められた酸素含有ガスは、酸素含有ガス導入部材２０の下端側に設けられた吹出口２５より、燃料電池セル２０の下部に向けて供給されることにより、燃料電池セル２０の下部の温度を上昇させることができる。
【０１０４】
それにより、燃料電池セル２０の上下方向（立設方向）における温度分布を均一化することができることから、燃料電池セル２０の発電効率を向上することができる。
【０１０５】
あわせて、燃料電池セルスタック１の熱が改質器２１に伝わり、改質器２１の底面を加熱する。それにより、改質器２１は燃料電池セルスタック１の熱を有効に利用して、改質反応を進めることができる。
【０１０６】
そして、本発明の燃料電池１８は、燃料電池セル２の配列方向における温度分布を均一に近づけることができることから、改質器２１の温度もより均一に加熱することができる。したがって、改質器２１における改質反応を効率的に行なうことができ、発電効率がより向上した燃料電池１８とすることができる。
【０１０７】
図６は、燃料電池セルスタック１において、隣接する燃料電池セル２間に設けられる集電部材３ａの一例を示したものである。
【０１０８】
集電部材３ａは隣接する一方の燃料電池セル２の平坦面に当接する第１導電体片３０と、隣接する一方の燃料電池セル２の端部から隣接する他方の燃料電池セル２の他方の端部へと傾斜して延びる第２導電体片３１と、他方の燃料電池セル２の平坦面に当接する第３導電体片３２と、他方の燃料電池セル２の一方の端部から一方の燃料電池セル２の他方の端部へと傾斜して延びる第４導電体片３３とを基本要素として具備する。第１〜第４の導電大変はこの順序で端部同士を次々に連結されており、さらにこの順序で繰り返し導電体片が連結されることにより、軸方向に延在する一繋がりの集電部材３ａを形成している。
【０１０９】
このような集電部材３ａを用いることにより、燃料電池セル２により発電された電気を効率よく集電できるとともに、燃料電池セル２の配列方向に沿って燃料電池セルスタック１の側面側より供給される酸素含有ガスが、集電部材３ａの隙間を流通して燃料電池セル２間を容易に流通することができ、燃料電池セル２と熱交換することができる。なお、端部集電部材３ｂについても、同様の形状とすることができる。
【０１１０】
したがって、燃料電池セルスタック１の温度分布を均一に近づけることができることから、燃料電池セルスタック１の発電効率が低下することが抑制できる。すなわち、発電効率が向上した燃料電池とすることができる。
【０１１１】
以上、本発明について詳細に説明したが、本発明は上述の実施の形態に限定されるものではなく、本発明の要旨を逸脱しない範囲内において、種々の変更、改良等が可能である。
【０１１２】
例えば、本発明の燃料電池セルスタックの説明において、燃料電池セルが中空平板型の燃料電池セルを用いて説明したが、平板型や円筒型の燃料電池セルを用いることもできる。その場合において、燃料電池セルの間隔は、燃料電池セルを構成する酸素側電極層や、燃料側電極層や、セパレータ等のサイズを変えることにより、燃料電池セルの間隔を変えることができる。
【図面の簡単な説明】
【０１１３】
【図１】本発明の燃料電池セルスタックを有する燃料電池セルスタック装置の一例を示し、（ａ）は燃料電池セルスタック装置を概略的に示す側面図であり、（ｂ）は（ａ）の燃料電池セルスタック装置の一部拡大平面図である。
【図２】本発明の燃料電池セルスタックを有する燃料電池セルスタック装置の他の実施の形態を示し、（ａ）は燃料電池セルスタック装置を概略的に示す側面図であり、（ｂ）は（ａ）の燃料電池セルスタック装置の一部拡大平面図である。
【図３】本発明の燃料電池セルスタックを有する燃料電池セルスタック装置のさらに他の実施の形態を示し、（ａ）は燃料電池セルスタック装置を概略的に示す側面図であり、（ｂ）は、（ａ）の燃料電池セルスタック装置の一部拡大平面図である。
【図４】本発明の燃料電池の一例を示す外観斜視図である。
【図５】図４に示す燃料電池の切断面線Ｘ−Ｘから見た断面図である。
【図６】本発明の燃料電池セルを電気的に接続するための集電部材の一例を示す斜視図である。
【図７】従来の燃料電池セルスタックを有する燃料電池セルスタック装置の一例を示し、（ａ）は燃料電池セルスタック装置を概略的に示す側面図であり、（ｂ）は（ａ）の燃料電池セルスタック装置の一部拡大平面図である。
【符号の説明】
【０１１４】
１、１５、１７：燃料電池セルスタック
２：燃料電池セル
３ａ：集電部材
３ｂ：端部集電部材 
４：空気側電極層
５：燃料側電極層
６：固体電解質層
７：インターコネクタ
８：支持基板
９：燃料ガス通路
１０、１４、１６：燃料電池セルスタック装置
１８：燃料電池
１９：収納容器
２０：酸素含有ガス導入部材
２１：改質器
【図１】
2008108722.tif 000003
【図２】
2008108722.tif 000004
【図３】
2008108722.tif 000005
【図４】
2008108722.tif 000006
【図５】
2008108722.tif 000007
【図６】
2008108722.tif 000008
【図７】
2008108722.tif 000009